(57)【要約】【課題】  ＯＬＥＤ素子などの自発光素子を利用した電気光学装置のように自発光素子の光学的特性が発光色ごとに相違する構成においても、階調特性を適切に調整する。【解決手段】  複数の画素回路４００は、各々が発光色の異なるＯＬＥＤ素子を有し、このＯＬＥＤ素子の発光量を供給階調信号Ｘｊの電圧に基づいて制御する。基本階調信号生成回路２１０は、階調値を示す基本階調信号ｘ１〜ｘｎを生成する。調整回路２２０は、基本階調信号ｘ１〜ｘｎに基づいて供給階調信号Ｘ１〜Ｘｎを生成して各画素回路４００に出力する。この調整回路２２０は、基本階調信号ｘｊにより示される階調値の変化に対する供給階調信号Ｘｊの信号レベルの変化の割合が一の発光色に対応する画素回路４００への供給階調信号Ｘｊと他の発光色に対応する画素回路４００への供給階調信号Ｘｊとで異なるように各供給階調信号Ｘｊを生成する。【選択図】      図１
2005234037.tif 000002
【特許請求の範囲】
【請求項１】
発光色の異なる複数種類の自発光素子のうち一つを各々有し、当該自発光素子の発光量
を供給階調信号の信号レベルに基づいて制御する複数の画素回路が設けられた電気光学装
置を駆動する駆動回路において、
階調値を示す基本階調信号を画素回路ごとに生成する基本階調信号生成手段と、
前記基本階調信号に基づいて前記供給階調信号を生成して前記各画素回路に出力する調
整手段とを備え、
前記調整手段は、基本階調信号により示される階調値の変化に対する供給階調信号の信
号レベルの変化の割合が一の発光色に対応する画素回路への供給階調信号と他の発光色に
対応する画素回路への供給階調信号とで異なるように各供給階調信号を生成する
ことを特徴とする駆動回路。
【請求項２】
前記調整手段は、前記階調値の変化に対する前記供給階調信号の信号レベルの変化の割
合が各発光色に対応する画素回路ごとに異なるように各供給階調信号を生成する
ことを特徴とする請求項１に記載の駆動回路。
【請求項３】
前記調整手段は、発光色ごとに定められた乗算係数を前記基本階調信号に対して乗算す
る乗算手段を有し、この乗算手段による乗算結果に応じた供給階調信号を出力する
ことを特徴とする請求項１または２に記載の駆動回路。
【請求項４】
前記調整手段は、さらに、最低の階調値を示す基本階調信号から生成される供給階調信
号の信号レベルが一の発光色に対応する画素回路への供給階調信号と他の発光色に対応す
る画素回路への供給階調信号とで異なるように各供給階調信号を生成する
ことを特徴とする請求項１に記載の駆動回路。
【請求項５】
前記調整手段は、最低の階調値を示す基本階調信号から生成される供給階調信号の信号
レベルが各発光色に対応する画素回路ごとに異なるように各供給階調信号を生成する
ことを特徴とする請求項４に記載の駆動回路。
【請求項６】
前記調整手段は、発光色ごとに定められた加算係数を前記基本階調信号に対して加算す
る加算手段を有し、この加算手段による加算結果に応じた供給階調信号を出力する
ことを特徴とする請求項４または５に記載の駆動回路。
【請求項７】
前記基本階調信号および前記供給階調信号は電圧信号であり、
前記調整手段は、前記基本階調信号の電圧を調整することにより前記供給階調信号を生
成する
ことを特徴とする請求項１から６の何れか１項に記載の駆動回路。
【請求項８】
前記基本階調信号生成手段は、各階調値を示す基本階調信号として、前記複数種類の発
光色の各々に対応する画素回路について共通の信号レベルの信号を生成する
ことを特徴とする請求項１から７の何れか１項に記載の駆動回路。
【請求項９】
前記基本階調信号生成手段は、デジタルデータによって指示された階調値に対応する信
号レベルの前記基本階調信号を生成するＤ／Ａ変換器を有する
ことを特徴とする請求項８に記載の駆動回路。
【請求項１０】
前記自発光素子は、有機発光ダイオードであることを特徴とする請求項１から９の何れ
か１項に記載の駆動回路。
【請求項１１】
請求項１から１０の何れか１項に記載の駆動回路と、
発光色の異なる複数種類の自発光素子のうち一つを各々有し、当該自発光素子の発光量
を供給階調信号の信号レベルに基づいて制御する複数の画素回路と
を備えたことを特徴とする電気光学装置。
【請求項１２】
画像を表示する表示手段として請求項１１に記載の電気光学装置を備えたことを特徴と
する電子機器。
【請求項１３】
発光色の異なる複数種類の自発光素子のうち一つを各々有し、当該自発光素子の発光量
を供給階調信号の信号レベルに基づいて制御する複数の画素回路が設けられた電気光学装
置の駆動方法において、
階調値を示す基本階調信号を画素回路ごとに生成し、
前記基本階調信号により示される階調値の変化に対する前記供給階調信号の信号レベル
の変化の割合が一の発光色に対応する画素回路への供給階調信号と他の発光色に対応する
画素回路への供給階調信号とで異なるように各供給階調信号を生成して前記各画素回路に
出力する
ことを特徴とする電気光学装置の駆動方法。
【請求項１４】
前記階調値の変化に対する前記供給階調信号の信号レベルの変化の割合が各発光色に対
応する画素回路ごとに異なるように各供給階調信号を生成する
ことを特徴とする請求項１３に記載の電気光学装置の駆動方法。
【請求項１５】
自発光素子の発光色ごとに定められた乗算係数を前記基本階調信号に対して乗算し、こ
の乗算結果に応じた供給階調信号を出力する
ことを特徴とする請求項１３または１４に記載の電気光学装置の駆動方法。
【請求項１６】
最低の階調値を示す基本階調信号から生成される供給階調信号の信号レベルが一の発光
色に対応する画素回路への供給階調信号と他の発光色に対応する画素回路への供給階調信
号とで異なるように各供給階調信号を生成する
ことを特徴とする請求項１３に記載の電気光学装置の駆動方法。
【請求項１７】
最低の階調値を示す基本階調信号から生成される供給階調信号の信号レベルが各発光色
に対応する画素回路ごとに異なるように各供給階調信号を生成する
ことを特徴とする請求項１６に記載の電気光学装置の駆動方法。
【請求項１８】
発光色ごとに定められた加算係数を前記基本階調信号に対して加算し、この加算結果に
応じた供給階調信号を出力する
ことを特徴とする請求項１６または１７に記載の電気光学装置の駆動方法。
【請求項１９】
前記自発光素子は、有機発光ダイオードであることを特徴とする請求項１３から１８の
何れか１項に記載の電気光学装置の駆動方法。
【発明の詳細な説明】
【技術分野】
【０００１】
本発明は、有機発光ダイオード素子（以下「ＯＬＥＤ（Organic Light Emitting Diode
）素子」という）などの自発光素子を利用してカラー画像を表示する電気光学装置、その
駆動回路および駆動方法、ならびに電気光学装置を用いた電子機器に関する。
【背景技術】
【０００２】
液晶を用いて画像を表示する液晶表示装置が従来から広く知られている。この液晶表示
装置は、液晶を挟んで対向する一対の電極からなる複数の画素を有する。この構成のもと
、各画素の液晶に印加される電圧を適宜に選定することにより、複数の階調からなる画像
が表示される。さらに、液晶からみて観察側に各色（例えば赤色、緑色および青色）の着
色層を配設すればカラー画像の表示も可能である。
【０００３】
カラー画像を表示する液晶表示装置において表示品位を向上させるためには、各表示色
の光量のバランス（特にホワイトバランス）を調整することが必要となる。この調整のた
めの技術として、例えば特許文献１には、画素の表示色ごとに予め定められた色補正電圧
を各画素の階調を示す階調電圧に加算し、これにより得られた電圧を各画素の液晶に印加
する技術が開示されている。
【０００４】
【特許文献１】特開２００１−３４３９４０号公報
【発明の開示】
【発明が解決しようとする課題】
【０００５】
ところで、液晶表示装置に替わる画像表示装置として、ＯＬＥＤ素子などの自発光素子
を備えた装置が注目されている。ＯＬＥＤ素子は、ダイオードと同様の電気的特性を有す
るとともに、順バイアス時に順バイアス電流に応じた光量にて発光するという光学的特性
を有する。この種の表示装置において、発光色が異なる複数の発光材料を用いて各画素の
自発光素子を形成すれば、例えば赤色、緑色および青色の組み合わせからなるカラー画像
の表示が実現される。
【０００６】
しかしながら、自発光素子を用いた表示装置においては、各自発光素子の光学的特性（
特に供給電流に対する発光量）が表示色ごとに相違するため、上記特許文献１に開示され
た技術のように階調電圧に対して各表示色ごとの補正電圧を単純に加算するだけでは必ず
しも充分に階調特性を調整することができない。すなわち、液晶表示装置においては各画
素を構成する液晶の光学的特性が表示色によらず総ての画素にわたって共通であるため、
階調電圧に対して各表示色ごとの補正電圧を加算することによって各色の着色層の光学的
特性の相違を補償すれば足りる。しかしながら、ＯＬＥＤ素子などの自発光素子を用いた
表示装置においては、各自発光素子自体の光学的特性が表示色ごとに相違するため、液晶
表示装置と同様の調整方法を適用したとしても充分に色バランスを調整することができな
いのである。
【０００７】
本発明は上述した問題に鑑みてなされたものであり、ＯＬＥＤ素子などの自発光素子を
利用した電気光学装置のように自発光素子の光学的特性が発光色ごとに相違する構成にお
いても階調特性を有効に調整することができる駆動回路、これを用いた電気光学装置、お
よび電子機器、ならびに駆動方法を提供することを解決課題とする。
【課題を解決するための手段】
【０００８】
上述した課題を解決するため、本発明は、発光色の異なる複数種類の自発光素子を各々
有し、当該自発光素子の発光量を供給階調信号の信号レベルに基づいて制御する複数の画
素回路が設けられた電気光学装置を駆動する駆動回路において、階調値を示す基本階調信
号を画素回路ごとに生成する基本階調信号生成手段と、基本階調信号に基づいて供給階調
信号を生成して各画素回路に出力する調整手段とを備え、前記調整手段は、基本階調信号
により示される階調値の変化に対する供給階調信号の信号レベルの変化の割合が一の発光
色に対応する画素回路への供給階調信号と他の発光色に対応する画素回路への供給階調信
号とで異なるように各供給階調信号を生成することを特徴とする。例えば、基本階調信号
および供給階調信号が電圧信号である構成においては、調整手段が、基本階調信号の電圧
を調整することにより供給階調信号を生成する。なお、本発明における自発光素子の典型
例はＯＬＥＤ素子であるが、その他の種類の自発光素子も採用され得る。
【０００９】
この構成によれば、基本階調信号により示される階調値の変化に対する供給階調信号の
信号レベルの変化の割合（以下「変化勾配」という）が一の発光色に対応する画素回路へ
の供給階調信号と他の発光色に対応する画素回路への供給階調信号とで異なるように供給
階調信号が生成される。換言すると、基本階調信号により示される階調値と供給階調信号
の信号レベルとの関係を直交座標軸上に表記したときの傾き（すなわち変化勾配）が各発
光色の画素回路ごとに異なるように供給階調信号が生成される。したがって、基本階調信
号により示される階調値が各発光色の自発光素子の光学的特性の相違を反映していないも
のであっても、各自発光素子の光学的特性の相違、特に供給電流に対する発光量の相違が
補償されるように有効に階調特性が調整され得る。例えば、各発光色の変化勾配は、表示
画像の色バランス（典型的にはホワイトバランス）が確保されるように選定される。より
具体的には、基本階調信号の階調値が白色を指示する場合に、複数種類の自発光素子が各
々発光することにより得られる色の色度図における座標が特定の範囲内に属するように各
発光色ごとに独立に変化勾配が選定される。あるいは、各発光色の変化勾配を調整するこ
とにより、表示画像の輝度調整や輝度ムラの解消も可能である。
【００１０】
なお、本発明においては、変化勾配が総ての発光色の各々について相互に異なるように
定められる必要は必ずしもない。例えば、発光色が赤色、緑色および青色の各色である自
発光素子を用いた構成においては、このうち２種類の発光色に対応する画素回路への供給
階調信号について変化勾配を共通とする一方、残り１種類の発光色に対応する画素回路へ
の供給階調信号について変化勾配を異ならせる構成も採用され得る。しかしながら、各自
発光素子が発光色ごとに異なる材料からなる構成のものとでは発光色ごとに自発光素子の
光学的特性が異なるのが一般的であるから、変化勾配は発光色ごとに異なることが望まし
い。また、特定の変化勾配に基づいて基本階調信号から供給階調信号を生成する具体的な
態様としては、発光色ごとに定められた乗算係数を基本階調信号に対して乗算する乗算手
段を設け、この乗算手段による乗算結果に応じた供給階調信号を出力する態様が採用され
得る。この態様によれば構成の簡略化が図られる。
【００１１】
本発明の望ましい態様において、調整手段は、さらに、最低の階調値を示す基本階調信
号から生成される供給階調信号の信号レベル（以下「オフセット値」という）が一の発光
色に対応する画素回路への供給階調信号と他の発光色に対応する画素回路への供給階調信
号とで異なるように各供給階調信号を生成する。換言すると、基本階調信号により示され
る階調値と供給階調信号の信号レベルとの関係を直交座標軸上に表記したときの切片（す
なわちオフセット値）が各発光色の画素回路に応じて異なるように供給階調信号が生成さ
れる。この態様によれば、変化勾配に加えてオフセット値も各発光色の自発光素子の光学
的特性に合わせて調整されるから、各自発光素子の光学的特性の相違をより精緻に補償す
ることができる。なお、変化勾配と同様に、オフセット値も、総ての発光色の各々につい
て相互に異なるように定められていてもよいし、１以上の発光色について共通するように
定められていてもよい。また、特定のオフセット値に基づいて基本階調信号から供給階調
信号を生成する態様としては、発光色ごとに定められた加算係数を基本階調信号に対して
加算する加算手段を設け、この加算手段による加算結果に応じた供給階調信号を出力する
構成が採用され得る。
【００１２】
本発明の他の態様において、基本階調信号生成手段は、各階調値を示す基本階調信号と
して、複数種類の発光色の各々に対応する画素回路について共通の信号レベルの信号を生
成する。すなわち、基本階調信号生成手段は、画素回路の発光色に拘わらず各階調値を共
通の信号レベルにて示す基本階調信号を生成する。この構成によれば、各発光色の光学的
特性の相違を基本階調信号に反映させる必要がないから、基本階調信号生成手段の構成を
簡略化することが可能となる。例えば、基本階調信号生成手段は、デジタルデータによっ
て指示された階調値に対応する信号レベルの基本階調信号を生成するＤ／Ａ変換器を有す
る。もっとも、基本階調信号生成手段により生成される基本階調信号の信号レベルを画素
回路の発光色に応じて相違させる構成も採用され得る。
【００１３】
また、本発明に係る電気光学装置は、上述した各態様の駆動回路と、発光色の異なる複
数種類の自発光素子のうち一つを各々有し、当該自発光素子の発光量を供給階調信号の信
号レベルに基づいて制御する複数の画素回路とを備えたことを特徴とする。この電気光学
装置によれば、各発光色の自発光素子ごとに光学的特性が異なる場合であっても階調特性
を有効に調整することができる。この電気光学装置の望ましい態様においては、発光色ご
とに独立に変化勾配を定めて駆動回路の調整手段に指示する指示回路が設けられる。さら
に、オフセット値が一の発光色に対応する画素回路への供給階調信号と他の発光色に対応
する画素回路への供給階調信号とで異なる構成の駆動回路が採用された構成のもとでは、
発光色ごとに独立にオフセット値を定めて調整手段に指示する指示回路が設けられる。ま
た、本発明に係る電子機器は、画像を表示する表示手段として上記電気光学装置を備えた
ことを特徴とする。このような電子機器としては、パーソナルコンピュータ、携帯電話機
、携帯情報端末、モニタ、デジタルスチルカメラ、ビューファインダ等がある。
【００１４】
本発明は、電気光学装置を駆動するための方法としても特定され得る。この駆動方法は
、発光色の異なる複数種類の自発光素子のうち一つを各々有し、当該自発光素子の発光量
を供給階調信号の信号レベルに基づいて制御する複数の画素回路が設けられた電気光学装
置の駆動方法であって、階調値を示す基本階調信号を画素回路ごとに生成し、基本階調信
号により示される階調値の変化に対する供給階調信号の信号レベルの変化の割合が一の発
光色に対応する画素回路への供給階調信号と他の発光色に対応する画素回路への供給階調
信号とで異なるように各供給階調信号を生成して各画素回路に出力することを特徴とする
。この駆動方法によれば、上述した駆動回路と同様の理由により、各自発光素子の光学的
特性の相違、特に供給電流に対する発光量の相違を補償して有効に階調特性が調整される
。
【００１５】
この駆動方法の望ましい態様においては、階調値の変化に対する供給階調信号の信号レ
ベルの変化の割合が各発光色に対応する画素回路ごとに異なるように各供給階調信号が生
成される。また、自発光素子の発光色ごとに定められた乗算係数を基本階調信号に対して
乗算し、この乗算結果に応じた供給階調信号を出力すれば、供給階調信号を生成する処理
が簡素化される。さらに、最低の階調値を示す基本階調信号から生成される供給階調信号
の信号レベルが一の発光色に対応する画素回路への供給階調信号と他の発光色に対応する
画素回路への供給階調信号とで異なるように各供給階調信号を生成する態様も採用され得
る。この態様においては、最低の階調値を示す基本階調信号から生成される供給階調信号
の信号レベルが各発光色に対応する画素回路ごとに異なるように各供給階調信号が生成さ
れる。また、発光色ごとに定められた加算係数を基本階調信号に対して加算し、この加算
結果に応じた供給階調信号を出力すれば、供給階調信号を生成する処理が簡素化される。
なお、この駆動方法における自発光素子としては、例えばＯＬＥＤ素子が採用され得る。
【発明を実施するための最良の形態】
【００１６】
＜１．電気光学装置の構成＞
図１は、本発明の実施形態に係る電気光学装置の概略構成を示すブロック図である。同
図に示されるように、電気光学装置１は、電気光学パネルＡＡと外部回路とを備える。電
気光学パネルＡＡには、表示領域Ａ、走査線駆動回路１００およびデータ線駆動回路２０
０が形成される。このうち表示領域Ａには、Ｘ方向と平行にｍ本の走査線１０１が形成さ
れる。また、Ｘ方向に直交するＹ方向と平行にｎ本のデータ線１０３が形成される。そし
て、走査線１０１とデータ線１０３との各交差に対応して画素回路４００が各々設けられ
ている。各画素回路４００は自発光素子としてＯＬＥＤ素子を有する。図１における「Ｒ
」、「Ｇ」および「Ｂ」の符号はそれぞれ「赤」、「緑」および「青」を意味し、ＯＬＥ
Ｄ素子の発光色を示している。同図に示されるように、本実施形態における電気光学パネ
ルＡＡは、同一色に対応する画素回路４００がＹ方向に配列されたストライプ配列のパネ
ルである。
【００１７】
各画素回路４００のうちＲ色に対応する画素回路４００は電源線ＬＲに接続されており
、Ｇ色に対応する画素回路４００は電源線ＬＧに接続されており、Ｂ色に対応する画素回
路４００は電源線ＬＢに接続されている。電源回路６００は、供給電源電圧Ｖｄｄｒ、Ｖ
ｄｄｇおよびＶｄｄｂをそれぞれ出力する。供給電源電圧Ｖｄｄｒ、ＶｄｄｇおよびＶｄ
ｄｂは、相互に異なる電源電圧であり、それぞれ電源線ＬＲ、ＬＧおよびＬＢを介して、
ＲＧＢ各色に対応する画素回路４００に供給される。
【００１８】
走査線駆動回路１００は、複数の走査線１０１の各々を順次に選択するための走査信号
Ｙ１、Ｙ２、Ｙ３、…、Ｙｍを生成する回路である。図２に示されるように、走査信号Ｙ
１は、１垂直走査期間（１Ｆ）の最初のタイミングに立ち上がって１水平走査期間（１Ｈ
）に相当する幅を有するパルスであって、第１行目の走査線１０１に供給される。以降、
このパルスが順次にシフトされて、２、３、…、ｍ行目の走査線１０１の各々に走査信号
Ｙ２、Ｙ３、…、Ｙｍとして供給される。一般的に第ｉ（ｉは１≦ｉ≦ｍを満たす整数）
行目の走査線１０１に供給される走査信号ＹｉがＨレベルになると、この走査線１０１が
選択されたことを示す。
【００１９】
図１に示されるデータ線駆動回路２００は、走査線駆動回路１００により選択された走
査線１０１に接続された１行分の画素回路４００の各々に対して階調データＤに応じた供
給階調信号Ｘ１、Ｘ２、Ｘ３、…、Ｘｎを供給する回路である。図１に示されるように、
データ線駆動回路２００は、メモリ２４０、基本階調信号生成回路２１０および調整回路
２２０を有する。このうちメモリ２４０は、ｍ×ｎ個の画素回路４００の各々について階
調データＤを記憶する手段である。この階調データＤは、表示画像の階調値を示すデジタ
ルデータであり、より具体的には、例えば２５６段階の階調の何れかを数値（すなわち階
調値）によって指定するデータである。また、基本階調信号生成回路２１０は、メモリ２
４０に記憶された階調データＤが示す階調値に応じた基本階調信号ｘ１、ｘ２、ｘ３、…
、ｘｎを生成して出力する。一方、調整回路２２０は、基本階調信号ｘ１、ｘ２、ｘ３、
…、ｘｎの信号レベルを調整することにより供給階調信号Ｘ１、Ｘ２、Ｘ３、…、Ｘｎを
生成して出力する。各供給階調信号Ｘ１〜Ｘｎは、各画素回路４００の発光量を指示する
電圧信号である。なお、基本階調信号生成回路２１０および調整回路２２０の詳細な構成
について後述する。
【００２０】
制御回路７００は、各種の制御信号を生成して走査線駆動回路１００およびデータ線駆
動回路２００に出力するタイミング発生回路７１０を有する。さらに、制御回路７００は
、データ線駆動回路２００に対して乗算係数および加算係数をそれぞれ指示する乗算係数
指示回路７２０および加算係数指示回路７３０を備えているが、これらの指示回路の技術
的意義については後述する。なお、この例では、制御回路７００および電源回路６００を
電気光学パネルＡＡの外部回路として配置したが、これらの構成要素の一部または全部を
電気光学パネルＡＡに取り込んでもよく、さらに、電気光学パネルＡＡに設けられた構成
要素の一部を外部回路として設けてもよい。
【００２１】
次に、図３を参照して、画素回路４００の構成を説明する。同図に示される画素回路４
００は、ｉ行目のＲ色に対応するものであり、供給電源電圧Ｖｄｄｒが供給される。他の
色に対応する画素回路４００は、供給電源電圧Ｖｄｄｒの代わりに供給電源電圧Ｖｄｄｇ
（Ｇ色）または供給電源電圧Ｖｄｄｂ（Ｂ色）が供給される点を除いて同様に構成されて
いる。
【００２２】
画素回路４００は、２個のＴＦＴ４０１および４０５と、容量素子４１０と、自発光素
子たるＯＬＥＤ素子４２０とを備える。このうちｐチャネル型のＴＦＴ４０１のソース電
極は電源線ＬＲに接続される一方、そのドレイン電極はＯＬＥＤ素子４２０の陽極に接続
され、ゲート電極はｎチャネル型のＴＦＴ４０５のドレイン電極に接続される。ＯＬＥＤ
素子４２０は、陽極と陰極との間に挟持された発光層を有し、順方向電流に応じた輝度に
て発光する。なお、ＯＬＥＤ素子４２０の陰極は、総ての画素回路４００にわたって共通
の電極であり、電源における低位（基準）電位となっている。また、容量素子４１０の一
端はＴＦＴ４０１のソース電極に接続される一方、その他端は、ＴＦＴ４０１のゲート電
極およびＴＦＴ４０５のドレイン電極にそれぞれ接続される。ＴＦＴ４０５のゲート電極
は走査線１０１に接続され、そのソース電極はデータ線１０３に接続される。
【００２３】
このような構成において、走査信号ＹｉがＨレベルになると、ｎチャネル型ＴＦＴ４０
５がオン状態となる。したがって、Ｈレベルに相当する電圧値が十分に高ければ、接続点
Ｑの電圧は、データ線１０３に供給される供給階調信号Ｘｊ（ｊは１≦ｊ≦ｎを満たす整
数）の電圧Ｖdataと等しくなる。このとき、容量素子４１０には（Ｖｄｄｒ−Ｖdata）に
相当する電荷が蓄積される。次に、走査信号ＹｉがＬレベルになるとＴＦＴ４０５はオフ
状態となるが、ＴＦＴ４０１のゲート電極における入力インピーダンスは極めて高いので
、容量素子４１０における電荷の蓄積状態は変化しない。このため、ＴＦＴ４０１のゲー
ト・ソース間電圧は、電圧Ｖdataが印加されたときの電圧（Ｖｄｄｒ−Ｖdata）に保持さ
れる。ＴＦＴ４０１を飽和領域で動作させれば、ＯＬＥＤ素子４２０に流れる電流Ｉoled
はＴＦＴ４０１のゲート・ソース間電圧によって定まるので、ＯＬＥＤ素子４２０には電
圧Ｖdataに応じた電流Ｉoledが流れる。このように、画素回路４００は、供給階調信号Ｘ
ｊの電圧Ｖdataによって発光量（輝度）が規定されるから、電圧プログラム方式の回路で
ある。
【００２４】
ところで、各ＯＬＥＤ素子４２０の発光層は、発光色に応じた種類の有機ＥＬ（Electr
oLuminescence）材料によって形成される。この構成においては、発光層の光学的特性（
特に供給電流に対する発光量）がＲ色、Ｇ色およびＢ色の各々で相互に相違する。一方、
図１に示すデータ線駆動回路２００のうち基本階調信号生成回路２１０から出力される基
本階調信号ｘ１〜ｘｎは、各画素回路４００によって表示されるべき階調値を総ての発光
色について共通の体系にて示すものであり、各画素回路４００の発光色に応じた光学的特
性の相違は反映されていない。このため、基本階調信号ｘ１〜ｘｎをそのまま各画素回路
４００に出力するとすれば、各ＯＬＥＤ素子４２０ごとの光学的特性の相違に起因して、
表示画像の階調特性（特にホワイトバランス）が所望の特性とはならない場合が生じ得る
。そこで、本実施形態においては、基本階調信号生成回路２１０の後段に配置された調整
回路２２０が、基本階調信号ｘ１〜ｘｎの信号レベルを各発光色ごとに独立して調整する
ことによって供給階調信号Ｘ１〜Ｘｎを生成する構成となっている。
【００２５】
さらに詳述すると、調整回路２２０は、基本階調信号生成回路２１０から生成される各
基本階調信号ｘｊに対し、発光色ごとに独立に選定された乗算係数ａを乗算し、この乗算
結果に対し、同じく発光色ごとに独立に選定された加算係数ｂを加算することによって供
給階調信号Ｘｊを生成する。すなわち、各発光色に対応する基本階調信号ｘｊと供給階調
信号Ｘｊとの関係は以下の数式（１）により表される。
Ｘｊ＝ａ・ｘｊ＋ｂ  ……（１）
また、以下の数式（１−Ｒ）、（１−Ｇ）および（１−Ｂ）は、各発光色の画素回路４
００に供給される供給階調信号Ｘｊを発光色ごとに別個に表記したものである。なお、こ
れらの式においては、Ｒ色、Ｇ色およびＢ色の各発光色について、乗算係数ａがａr、ａg
およびａb、加算係数ｂがｂr、ｂgおよびｂbとしてそれぞれ区別されている。
Ｘｊ＝ａr・ｘｊ＋ｂr  ……（１−Ｒ）
Ｘｊ＝ａg・ｘｊ＋ｂg  ……（１−Ｇ）
Ｘｊ＝ａb・ｘｊ＋ｂb  ……（１−Ｂ）
【００２６】
図４は、上式（１）に基づく基本階調信号ｘｊと供給階調信号Ｘｊとの関係を示すグラ
フである。同図においては、ｘ軸を基本階調信号ｘｊの信号レベル（電圧）とし、ｙ軸を
供給階調信号Ｘｊの信号レベル（電圧）とした例が示されている。同図および上式（１）
から明らかなように、乗算係数ａ（ａr、ａgおよびａb）は、基本階調信号ｘｊにより示
される階調値の変化に対する供給階調信号Ｘｊの変化の割合である変化勾配（すなわち、
階調値が単位量だけ変化したときの供給階調信号Ｘｊの変化量）を示す係数であり、グラ
フ上では傾きに相当する。一方、加算係数ｂ（ｂr、ｂgおよびｂb）は、最低の階調値を
示す基本階調信号ｘｊから生成される供給階調信号Ｘｊの信号レベルであるオフセット値
に相当する係数であり、グラフ上では切片に相当する。ＯＬＥＤ素子４２０の特性との関
係に着目すると、乗算係数ａは、電流Ｉoledの変化に対するＯＬＥＤ素子４２０の発光量
の変化の割合（すなわち発光効率）に対応し、加算係数ｂは、電流Ｉoledをゼロから連続
的に増加させた場合にＯＬＥＤ素子４２０が発光し始めるときの電流Ｉoledの電流値に対
応する。
【００２７】
ここで、供給階調信号Ｘｊが乗算係数ａおよび加算係数ｂを含む数式（１）によって定
められる理由を説明する。
いま、各ＯＬＥＤ素子４２０の発光量と階調データＤが示す階調値Ｇとの比であるγ値
を、表示装置において理想的と考えられる「２．２」とした場合を想定する。ＯＬＥＤ素
子４２０の発光量（輝度）は当該ＯＬＥＤ素子４２０に流れる電流Ｉoledに比例するから
、電流Ｉoledは、図５に示されるように階調値Ｇの変化に対し、γ値が「２．２」となる
ように指数関数的に変化することが要求される。したがって、電流Ｉoledは階調値Ｇを用
いて以下の数式で表現される。
Ｉoled＝Ｇ２．２  ……（２）
【００２８】
一方、各画素回路４００に与えられる供給電源電圧Ｖｄｄ（Ｖｄｄｒ、Ｖｄｄｇまたは
Ｖｄｄｂ）と電流Ｉoledを制御するＴＦＴ４０１の特性とに着目すると、ＴＦＴ４０１が
飽和領域で動作する場合、電流Ｉoledは以下の数式（３）により表現される。
Ｉoled＝｛β（Ｖｄｄ−Ｖdata−Ｖth）２｝／２  ……（３）
この数式（３）において、βはＴＦＴ４０１の利得係数であり、ＶthはＴＦＴ４０１の
しきい値電圧である。また、Ｖdataは、上述したようにデータ線１０３に印加される供給
階調信号Ｘｊの電圧である。
【００２９】
ここで、数式（２）に数式（３）を代入して変形すると、電流Ｉoledが図５に示される
階調特性を示すために供給階調信号Ｘｊの電圧Ｖdataが満たすべき特性は、係数ａを適宜
に定めることによって数式（４）により表される。図６は、この数式（４）の関係を示す
グラフである。
Ｖdata＝Ｖｄｄ−Ｖth−ａ・Ｇ１．１  ……（４）
【００３０】
この数式（４）から明らかなように、電圧Ｖdataは、階調値Ｇの１．１乗に乗算係数（
−ａ）を乗算した数値に対して（Ｖｄｄ−Ｖth）を加算した電圧として定義されることが
望ましい。本実施形態においては、供給階調信号Ｘｊの電圧Ｖdataと階調データＤが示す
階調値Ｇとが数式（４）の関係と対応するように、基本階調信号ｘｊに対して乗算係数ａ
を乗算し、これに加算係数ｂ（数式（４）における（Ｖｄｄ−Ｖth）に相当する）を加算
したものを供給階調信号Ｘｊとして定めているのである。なお、数式（４）に示されるよ
うに、乗算係数ａが乗ぜられる対象となるのは階調値Ｇの１．１乗に相当する数値である
。一方、数式（１）において乗算係数ａが乗ぜられるのは基本階調信号ｘｊである。この
ため、本実施形態における基本階調信号ｘｊは、階調データＤが示す階調値Ｇの１．１乗
に相当する電圧となるように定められる。
【００３１】
図１に示される制御回路７００の乗算係数指示回路７２０は、発光色ごとの乗算係数ａ
r、ａgおよびａbを選定して各々をデータ線駆動回路２００に指示する回路である。一方
、加算係数指示回路７３０は、発光色ごとの加算係数ｂr、ｂgおよびｂbを選定して各々
をデータ線駆動回路２００に指示する回路である。乗算係数ａr、ａgおよびａb、ならび
に加算係数ｂr、ｂgおよびｂbは、それぞれ利用者（あるいは調整者）による操作に応じ
て定められる。例えば、利用者は、電気光学装置１によって実際に表示される画像を視認
しながら、この画像の色バランスが所期の色バランスとなるように、電気光学装置１に対
して適宜に指示を入力する。制御回路７００は、こうして与えられた指示に基づいて、各
乗算係数ａと各加算係数ｂとを特定するのである。もっとも、乗算係数ａr、ａgおよびａ
b、ならびに加算係数ｂr、ｂgおよびｂbが予め定められた構成も採用され得る。
【００３２】
次に、図７を参照して、データ線駆動回路２００の具体的な構成を説明する。同図に示
されるように、基本階調信号生成回路２１０は、Ｓ／Ｐ（Serial to parallel）変換器２
１１、基準電圧生成回路２１３およびＤ／Ａ（Digital to Analog）変換器２１５を有す
る。このうちＳ／Ｐ変換器２１１は、メモリ２４０からシリアルに供給される階調データ
Ｄのうち走査線駆動回路１００により選択される１行分のｎ個の画素回路４００の各々に
与えられるべき階調データｄ１、ｄ２、ｄ３、…、ｄｎを並列に出力する回路である。
【００３３】
一方、基準電圧生成回路２１３は、階調値の段階数に相当する例えば２５６種類の電圧
（以下「基準階調電圧」という）Ｖref1、Ｖref2、Ｖref3、…、Ｖref256を生成して出力
する回路であり、図７に示されるように、電源電圧間に介挿されて相互に直列接続された
２５７個の抵抗２１３ａと、相互に隣接する抵抗２１３ａ同士の接続点に接続された２５
６個のオペアンプ２１３ｂとを有する。各オペアンプ２１３ｂはボルテージフォロアを構
成しており、各抵抗２１３ａにより分圧された電圧を基準階調電圧Ｖref1〜Ｖref256とし
て出力する。本実施形態においては、基準階調電圧Ｖref1〜Ｖref256が各階調値Ｇの１．
１乗に相当する電圧となるように各抵抗２１３ａの抵抗比が選定されている。なお、ここ
では基準電圧生成回路２１３をデータ線駆動回路２００の一部とした構成を例示したが、
基準電圧生成回路２１３が配置される箇所は任意である。例えば、基準電圧生成回路２１
３が電源回路６００に配置された構成も採用され得る。
【００３４】
Ｄ／Ａ変換器２１５は、階調データｄ１、ｄ２、ｄ３、…、ｄｎが示す階調値Ｇに応じ
た電圧の基本階調信号ｘ１、ｘ２、ｘ３、…、ｘｎを出力する回路であり、１行分の画素
回路４００の個数に相当するｎ個のスイッチＳＷ1〜ＳＷnを有する。これらのスイッチＳ
Ｗ1〜ＳＷnの各々には、基準電圧生成回路２１３から基準階調電圧Ｖref1〜Ｖref256が供
給される。さらに、第ｊ段目のスイッチＳＷjにはＳ／Ｐ変換器２１１から階調データｄ
ｊが供給される。各スイッチＳＷjは、２５６種類の基準階調電圧Ｖref1〜Ｖref256のう
ち階調データｄｊが示す階調値Ｇに対応する電圧を選択し、これを基本階調信号ｘｊとし
て出力する。上述したように、基準階調電圧Ｖref1〜Ｖref256の各々は各階調値Ｇの１．
１乗に相当する電圧であるから、各スイッチＳＷjは、階調データｄｊが示す階調値Ｇの
１．１乗に相当する電圧（すなわち数式（４）における「Ｇ１．１」に相当する電圧）の
基本階調信号ｘｊを出力する。
【００３５】
次に、調整回路２２０は、加算電圧生成回路２２１と供給階調信号生成回路２２２とを
有する。このうち加算電圧生成回路２２１には、加算係数ｂr、ｂgおよびｂbがそれぞれ
制御回路７００の加算係数指示回路７３０から指示される。加算電圧生成回路２２１は、
こうして指示された加算係数ｂr、ｂgおよびｂbの大きさに応じた加算電圧Ｖr、Ｖgおよ
びＶbをそれぞれ生成する。ここで生成された加算電圧Ｖr、ＶgおよびＶbは、それぞれ電
圧供給線２２３r、２２３gおよび２２３bに供給される。なお、加算電圧生成回路２２１
が配置される箇所は任意である。例えば電源回路６００に加算電圧生成回路２２１が配置
された構成も採用され得る。
【００３６】
一方、供給階調信号生成回路２２２は、１行分の画素回路４００に相当するｎ個の調整
ユニットＵｓ（Ｕｓ1〜Ｕｓn）を有する。これらの調整ユニットＵｓ1〜ＵｓnのうちＲ色
に対応する調整ユニットＵｓには加算電圧Ｖrが電圧供給線２２３ｒを介して供給され、
Ｇ色に対応する調整ユニットＵｓには加算電圧Ｖgが電圧供給線２２３ｇを介して供給さ
れ、Ｂ色に対応する調整ユニットＵｓには加算電圧Ｖbが電圧供給線２２３ｂを介して供
給される。また、Ｒ色の画素回路４００に対応する調整ユニットＵｓには乗算係数ａrが
、Ｇ色の画素回路４００に対応する調整ユニットＵｓには乗算係数ａgが、Ｂ色の画素回
路４００に対応する調整ユニットＵｓには乗算係数ａbが、それぞれ制御回路７００の乗
算係数指示回路７２０から指示される。さらに、各調整ユニットＵｓには、Ｄ／Ａ変換器
２１５の各スイッチＳＷ1〜ＳＷnから出力された基本階調信号ｘ１、ｘ２、ｘ３、…、ｘ
ｎが入力される。すなわち、第ｊ段目の調整ユニットＵｓjには、スイッチＳＷjから基本
階調信号ｘｊが入力される。各調整ユニットＵｓjは、スイッチＳＷjから入力された基本
階調信号ｘｊに対して数式（１）によって示される調整を施し、これにより得られた供給
階調信号Ｘｊを第ｊ列目のデータ線１０３に出力する。
【００３７】
図８は、ｎ個の調整ユニットＵｓのうちＲ色の画素回路４００に対応する調整ユニット
Ｕｓの構成を示す回路図である。同図に示されるように、ひとつの調整ユニットＵｓjは
、可変抵抗Ｒa1および抵抗Ｒa2と加算回路（減算回路）２２５とを有する。可変抵抗Ｒa1
と抵抗Ｒa2とは直列に接続され、基本階調信号ｘｊが供給される配線と接地線との間に介
挿される。加算回路２２５を構成するオペアンプ２２５ａの正側入力端子には、可変抵抗
Ｒa1および抵抗Ｒa2の分圧により得られた電圧（以下「乗算電圧」という）が抵抗Ｒb1を
介して供給される。ここで、可変抵抗Ｒa1の抵抗値は、乗算係数指示回路７２０から指示
される乗算係数ａrに応じて調整される。したがって、オペアンプ２２５ａの正側入力端
子に供給される乗算電圧は、基本階調信号ｘｊの電圧と可変抵抗Ｒa1の抵抗値とに応じた
もの（すなわち、数式（１−Ｒ）における「ａr・ｘｊ」に相当する電圧）となる。この
ように、可変抵抗Ｒa1は、基本階調信号ｘｊと乗算係数ａrとを乗算する手段として機能
する。
【００３８】
一方、加算回路２２５は、抵抗Ｒb1、Ｒb2、Ｒb3およびＲb4とオペアンプ２２５ａとに
より構成される。このうちオペアンプ２２５ａの負側入力端子には、電圧供給線２２３ｒ
から抵抗Ｒb3を介して加算電圧Ｖrが供給される。この構成のもと、オペアンプ２２５ａ
の出力端子の電圧は、正側入力端子に供給される乗算電圧と加算電圧Ｖrとの差分に比例
した電圧となる。例えば、抵抗Ｒb1、Ｒb2、Ｒb3およびＲb4の抵抗値を同一とすれば、オ
ペアンプ２２５ａの出力端子の電圧は、基本階調信号ｘｊと乗算係数ａrとの乗算電圧を
加算電圧Ｖrから減算したものとなる。このオペアンプ２２５ａの出力端子の電圧が供給
階調信号Ｘｊの電圧Ｖdataとしてデータ線１０３に供給され、走査線駆動回路１００によ
り選択された画素回路４００のうちＲ色に対応する第ｊ列目の画素回路４００に供給され
るのである。
【００３９】
ここではＲ色に対応する調整ユニットＵｓjの構成を説明したが、Ｇ色およびＢ色に対
応する調整ユニットＵｓも図８と同様に構成されている。ただし、Ｇ色に対応する調整ユ
ニットＵｓにおいては、可変抵抗Ｒa1の抵抗値が乗算係数ａgに応じて調整され、オペア
ンプ２２５ａの負側入力端子には加算電圧Ｖgが供給される。したがって、Ｇ色に対応す
る調整ユニットＵｓは、数式（１−Ｇ）に示されるように、基本階調信号ｘｊと乗算係数
ａgとの乗算電圧を加算電圧Ｖgから減算した電圧を供給階調信号Ｘｊとして出力する。同
様に、Ｂ色に対応する調整ユニットＵｓは、数式（１−Ｂ）に示されるように、基本階調
信号ｘｊと乗算係数ａbとの乗算電圧を加算電圧Ｖbから減算した電圧を供給階調信号Ｘｊ
として出力する。
【００４０】
以上のように、供給階調信号Ｘｊは基本階調信号ｘｊに対して発光色ごとに異なる調整
を施すことにより生成されるから、階調データＤが示す階調値Ｇとこの階調値Ｇから得ら
れる供給階調信号Ｘｊの電圧Ｖdataとの関係は、図９に示されるように発光色ごとに相違
することになる。より具体的には、階調値Ｇの変化に対する電圧Ｖdataの変化の割合であ
る変化勾配（乗算係数ａ）は、Ｇ色に対応する供給階調信号ＸｊよりもＢ色に対応する供
給階調信号Ｘｊのほうが大きく、Ｂ色に対応する供給階調信号ＸｊよりもＲ色に対応する
供給階調信号Ｘｊのほうが大きい。階調値が最小値「０」であるときの供給階調信号Ｘｊ
の電圧Ｖdataであるオフセット値（加算係数ｂ）についても同様に、Ｇ色に対応する供給
階調信号ＸｊよりもＢ色に対応する供給階調信号Ｘｊのほうが大きく、Ｂ色に対応する供
給階調信号ＸｊよりもＲ色に対応する供給階調信号Ｘｊのほうが大きい。この構成によれ
ば、ＯＬＥＤ素子４２０の光学的特性が発光色ごとに相違していても、乗算係数ａおよび
加算係数ｂを発光色ごとに独立に定めることにより、電気光学装置１により実際に表示さ
れる画像の色バランスを高い水準で維持することができる。
【００４１】
しかも、本実施形態においては、供給階調信号Ｘｊの変化勾配およびオフセット値を発
光色ごとに調整するための構成として可変抵抗Ｒa1および加算回路２２５を採用したから
、極めて簡素な構成により上記効果が得られるという利点がある。もっとも、変化勾配を
発光色ごとに調整するための構成やオフセット値を発光色ごとに調整するための構成は適
宜に変更され得る。
【００４２】
＜２．変形例＞
上記実施形態に対しては種々の変形が施される。具体的な変形の態様は以下の通りであ
る。
【００４３】
（１）上記実施形態においては、同一色の画素回路４００がＹ方向に配列されたストライ
プ配列を例示したが、各色の画素回路４００の配列の態様はこれに限られない。例えば、
図１０に示されるように、同一色の画素回路４００が隣接しないように各色の画素回路４
００が配列されたデルタ配列も採用され得る。このように、各データ線１０３に対して相
互に異なる発光色の画素回路４００が接続された構成においては、各調整ユニットＵｓj
に指示される乗算係数ａおよび加算係数ｂ（あるいは加算電圧）を、各走査線１０１が選
択されるたびに変更する構成とすればよい。さらに詳述すると、供給階調信号Ｘｊの供給
先となる画素回路４００の発光色に応じて乗算係数ａおよび加算電圧が随時に変更される
。例えば、図１０に示される構成のもと、第ｉ行目の走査線１０１が選択される水平走査
期間においては、第ｊ列目の調整ユニットＵｓjに対してＲ色に対応する乗算係数ａrと加
算係数ｂrに応じた加算電圧Ｖrとを供給し、第（ｊ＋１）列目の調整ユニットＵｓj+1に
対してＧ色に対応する乗算係数ａgと加算電圧Ｖgとを供給し、第（ｊ＋２）列目の調整ユ
ニットＵｓj+2に対してＢ色に対応する乗算係数ａbと加算電圧Ｖbとを供給する。一方、
続く第（ｉ＋１）行目の走査線１０１が選択される水平走査期間においては、第ｊ列目の
調整ユニットＵｓjに対してＢ色に対応する乗算係数ａbと加算電圧Ｖbとを供給し、第（
ｊ＋１）列目の調整ユニットＵｓj+1に対してＲ色に対応する乗算係数ａrと加算電圧Ｖr
とを供給し、第（ｊ＋２）列目の調整ユニットＵｓj+2に対してＧ色に対応する乗算係数
ａgと加算電圧Ｖgとを供給するといった具合である。
【００４４】
また、ここでは加算電圧Ｖr、ＶgおよびＶbを切り替える構成を例示したが、加算係数
指示回路７３０により指示される加算係数ｂを水平走査期間ごとに変更する構成も採用さ
れる。例えば、図１１に示される調整ユニットＵｓjにおいては、オペアンプ２２５ａの
負側入力端子に対して可変抵抗Ｒb3を介して加算電圧Ｖrefが供給される。この加算電圧
Ｖrefは発光色に拘わらず共通の電圧である。そして、可変抵抗Ｒb3の抵抗値を加算係数
ｂ（ｂr、ｂgまたはｂb）に応じて調整する一方、この加算係数ｂを、供給階調信号Ｘｊ
の供給先となる画素回路４００の発光色に応じて加算係数指示回路７３０が水平走査期間
ごとに変更する構成としてもよい。例えば、図１０の例において第ｊ列目に対応する調整
ユニットＵｓjに対し、第ｉ行目の走査線１０１が選択される水平走査期間においては加
算係数ｂrを供給し、第（ｉ＋１）行目の走査線１０１が選択される水平走査期間におい
ては加算係数ｂbを供給し、第（ｉ＋２）行目の走査線１０１が選択される水平走査期間
においては加算係数ｂgを供給するといった具合である。
【００４５】
（２）上記実施形態においては電圧プログラミング方式の画素回路４００を例示したが、
電流プログラミング方式の画素回路にも本発明は適用される。この電流プログラミング方
式の画素回路においては、データ線１０３に流れる電流Ｉdataに応じた電流ＩoledがＯＬ
ＥＤ素子４２０に流れて当該ＯＬＥＤ素子４２０が発光する。したがって、供給階調信号
ＸｊはＯＬＥＤ素子４２０の発光量を指示する電流信号となる。この構成のもとでは、基
本階調信号ｘｊにより示される階調値の変化に対する供給階調信号Ｘｊの電流値の変化の
割合、および最低の階調値を示す基本階調信号ｘｊから生成される供給階調信号Ｘｊの電
流値が、発光色ごとに異なるように、各供給階調信号Ｘｊが生成される。
【００４６】
図１２は、電流プログラミング方式の画素回路の構成を示す回路図である。同図におい
ては、図３と同様に第ｉ行目のＲ色に対応する画素回路４００Ａが図示されているが、他
色に対応する画素回路４００Ａも供給電源電圧が相違する点を除いて図１２と同様の構成
となっている。
【００４７】
図１２に示されるように、画素回路４００Ａは、４個のＴＦＴ４０１〜４０４と、容量
素子４１０と、ＯＬＥＤ素子４２０とを備える。このうちｐチャネル型のＴＦＴ４０１の
ソース電極は電源線ＬＲに接続される一方、そのドレイン電極はｎチャネル型ＴＦＴ４０
３のドレイン電極、ｎチャネル型ＴＦＴ４０４のドレイン電極及びｎチャネル型ＴＦＴ４
０２のソース電極にそれぞれ接続される。
【００４８】
容量素子４１０の一端はＴＦＴ４０１のソース電極に接続される一方、その他端は、Ｔ
ＦＴ４０１のゲート電極及びＴＦＴ４０２のドレイン電極にそれぞれ接続される。ＴＦＴ
４０３のゲート電極は走査線１０１に接続され、そのソース電極は、データ線１０３に接
続される。また、ＴＦＴ４０２のゲート電極は走査線１０１に接続される。一方、ＴＦＴ
４０４のゲート電極は発光制御線１０２に接続され、そのソース電極はＯＬＥＤ素子４２
０の陽極に接続される。発光制御線１０２は、走査線駆動回路１００から各走査線１０１
と並行するように合計ｍ本が表示領域Ａに形成され、各々が１行分の画素回路４００Ａに
対して共通に接続されている。第ｉ行目の各画素回路４００Ａには、発光制御線１０２を
介して発光制御信号Ｖｇｉが供給される。発光制御信号Ｖｇ１、Ｖｇ２、Ｖｇ３、…、Ｖ
ｇｍは、各行の画素回路４００ＡのＯＬＥＤ素子４２０が発光する期間を規定するための
信号であり、例えば走査信号Ｙ１、Ｙ２、Ｙ３、…、Ｙｍの論理レベルをそれぞれ反転し
た信号である。
【００４９】
このような構成において、走査信号ＹｉがＨレベルになると、ｎチャネル型ＴＦＴ４０
２がオン状態となるので、ＴＦＴ４０１は、ゲート電極とドレイン電極とが互いに接続さ
れたダイオードとして機能する。走査信号ＹｉがＨレベルになると、ｎチャネル型ＴＦＴ
４０３も、ＴＦＴ４０２と同様にオン状態となる。この結果、データ線駆動回路２００の
電流Ｉdataが、電源線ＬＲ→ＴＦＴ４０１→ＴＦＴ４０３→データ線１０３という経路で
流れるとともに、そのときに、ＴＦＴ４０１のゲート電極の電位に応じた電荷が容量素子
４１０に蓄積される。
【００５０】
走査信号ＹｉがＬレベルになると、ＴＦＴ４０３、４０２はともにオフ状態となる。こ
のとき、ＴＦＴ４０１のゲート電極における入力インピーダンスは極めて高いので、容量
素子４１０における電荷の蓄積状態は変化しない。ＴＦＴ４０１のゲート・ソース間電圧
は、電流Ｉdataが流れたときの電圧に保持される。また、走査信号ＹｉがＬレベルになる
と、発光制御信号ＶｇｉがＨレベルとなる。このため、ｎチャネル型のＴＦＴ４０４がオ
ンし、ＴＦＴ４０１のソース・ドレイン間には、そのゲート電圧に応じた電流Ｉoledが流
れる。詳細には、この電流は、電源線ＬＲ→ＴＦＴ４０１→ＴＦＴ４０４→ＯＬＥＤ素子
４２０という経路で流れる。
【００５１】
ここで、ＯＬＥＤ素子４２０に流れる電流Ｉoledは、ＴＦＴ４０１のゲート・ソース間
電圧で定まるが、その電圧は、Ｈレベルの走査信号Ｙｉによって電流Ｉdataがデータ線１
０３に流れたときに、容量素子４１０によって保持された電圧である。このため、発光制
御信号ＶｇｉがＨレベルになったときに、ＯＬＥＤ素子４２０に流れる電流Ｉoledは、直
前に流れた電流Ｉdataに略一致する。このように、電流プログラミング方式の画素回路４
００Ａにおいては、電流Ｉdataによって発光輝度が規定される。
【００５２】
（３）上記実施形態においては、基準電圧生成回路２１３によって生成される基準階調電
圧Ｖref1〜Ｖref256が各階調値Ｇの１．１乗に相当する電圧となるように各抵抗２１３ａ
の抵抗比を選定した構成を例示したが、基本階調信号ｘｊの信号レベルを階調値Ｇの１．
１乗に対応させるための構成は任意である。例えば、階調データＤが示す階調値Ｇの１．
１乗の数値をメモリ２４０に記憶させておき、この数値に応じた電圧をＤ／Ａ変換器２１
５が基本階調信号ｘｊとして出力する構成としてもよい。また、電流Ｉoled（あるいはＯ
ＬＥＤ素子４２０の発光量）を階調値Ｇの変化に対して指数関数的に変化させる必要がな
いのであれば、単に、階調データＤが示す階調値Ｇに応じた信号レベルの基本階調信号ｘ
ｊが生成される構成としてもよい。
【００５３】
＜３．応用例＞
次に、上述した実施形態に係る電気光学装置１を適用した電子機器について説明する。
図１３に、電気光学装置１を適用したモバイル型のパーソナルコンピュータの構成を示す
。パーソナルコンピュータ２０００は、表示ユニットとしての電気光学装置１と本体部２
０１０を備える。本体部２０１０には、電源スイッチ２００１及びキーボード２００２が
設けられている。この電気光学装置１はＯＬＥＤ素子４２０を用いるので、視野角が広く
見易い画面を表示できる。
【００５４】
図１４に、電気光学装置１を適用した携帯電話機の構成を示す。携帯電話機３０００は
、複数の操作ボタン３００１及びスクロールボタン３００２、並びに表示ユニットとして
の電気光学装置１を備える。スクロールボタン３００２を操作することによって、電気光
学装置１に表示される画面がスクロールされる。
【００５５】
図１５に、電気光学装置１を適用した情報携帯端末（ＰＤＡ：Personal Digital Assis
tants）の構成を示す。情報携帯端末４０００は、複数の操作ボタン４００１及び電源ス
イッチ４００２、並びに表示ユニットとしての電気光学装置１を備える。電源スイッチ４
００２を操作すると、住所録やスケジュール帳といった各種の情報が電気光学装置１に表
示される。
【００５６】
なお、電気光学装置１が適用される電子機器としては、図１３〜１５に示すものの他、
デジタルスチルカメラ、液晶テレビ、ビューファインダ型、モニタ直視型のビデオテープ
レコーダ、カーナビゲーション装置、ページャ、電子手帳、電卓、ワードプロセッサ、ワ
ークステーション、テレビ電話、ＰＯＳ端末、タッチパネルを備えた機器等などが挙げら
れる。そして、これらの各種電子機器の表示部として、前述した電気光学装置１が適用可
能である。
【図面の簡単な説明】
【００５７】
【図１】本発明の実施形態に係る電気光学装置の構成を示すブロック図である。
【図２】同装置における走査線駆動回路の動作を示すタイミングチャートである。
【図３】同装置における画素回路の構成を示す回路図である。
【図４】同装置における基本階調信号ｘｊと供給階調信号Ｘｊとの関係を示すグラフである。
【図５】同装置における階調値ＧとＯＬＥＤ素子に流れる電流値との関係を示すグラフである。
【図６】同装置における階調値Ｇと供給階調信号Ｘｊの電圧Ｖdataとの関係を示すグラフである。
【図７】同装置におけるデータ線駆動回路の構成を示すブロック図である。
【図８】同データ線駆動回路における各調整ユニットの構成を示す回路図である。
【図９】同装置における階調値Ｇと供給階調信号Ｘｊの電圧Ｖdataとの関係を発光色ごとに示すグラフである。
【図１０】本発明の他の形態における画素回路の配列を示す図である。
【図１１】本発明の他の形態における調整ユニットの構成を示す回路図である。
【図１２】本発明の他の形態における画素回路の構成を示す回路図である。
【図１３】同電気光学装置を適用したモバイル型のパーソナルコンピュータの構成を示す斜視図である。
【図１４】同電気光学装置を適用した携帯電話機の構成を示す斜視図である。
【図１５】同電気光学装置を適用した携帯情報端末の構成を示す斜視図である。
【符号の説明】
【００５８】
１…電気光学装置、１０１……走査線、１０３……データ線、１００……走査線駆動回路
、２００……データ線駆動回路、２１０……基本階調信号生成回路（基本階調信号生成手
段）、２１１……Ｓ／Ｐ変換器、２１３……基準電圧生成回路、２１５……Ｄ／Ａ変換器
、ＳＷ1〜ＳＷn……スイッチ、２２０……調整回路（調整手段）、２２１……加算電圧生
成回路、２２２……供給階調信号生成回路、Ｕｓ（Ｕｓ1〜Ｕｓn）……調整ユニット、２
２３r，２２３g，２２３b……電圧供給線、Ｒa1……可変抵抗（乗算手段）、２２５……
加算回路（加算手段）、４００……画素回路、４２０……ＯＬＥＤ素子、７００……制御
回路、７２０……乗算係数指示回路、７３０……加算係数指示回路、ｘｊ（ｘ１〜ｘｎ）
……基本階調信号、Ｘｊ（Ｘ１〜Ｘｎ）……供給階調信号、ａ（ａr，ａg，ａb）……乗
算係数、ｂ（ｂr，ｂg，ｂb）……加算係数、Ｖref1〜Ｖref256……基準階調電圧、Ｖr，
Ｖg，Ｖb……加算電圧、Ｙｉ（Ｙ１〜Ｙｍ）……走査信号。
【図１】
2005234037.tif 000003
【図２】
2005234037.tif 000004
【図３】
2005234037.tif 000005
【図４】
2005234037.tif 000006
【図５】
2005234037.tif 000007
【図６】
2005234037.tif 000008
【図７】
2005234037.tif 000009
【図８】
2005234037.tif 000010
【図９】
2005234037.tif 000011
【図１０】
2005234037.tif 000012
【図１１】
2005234037.tif 000013
【図１２】
2005234037.tif 000014
【図１３】
2005234037.tif 000015
【図１４】
2005234037.tif 000016
【図１５】
2005234037.tif 000017